(57)【要約】【課題】  トレイドアをトレイ取出口内の中央に所望通りに配置すること。【解決手段】  トレイ取出口５に配置される合成樹脂製トレイドア６の裏面両端に一対のアーム７ａ，７ｂが一体突設されると共に、該各アーム７ａ，７ｂの先端に同心状に一体突設した支軸８ａ，８ｂが軸受９ａ，９ｂに軸支され、ばね１１で他方の支軸８ｂを位置決め片１３に押し付けることにより、トレイドア６をトレイ取出口５内の中央に配置し、側面に突起部２２を突設し複数のロック孔２３を所定間隔をおいて貫設した合成樹脂製棒材２１を有し、該棒材２１の各ロック孔２３をフロントパネル４ａに一体突設した各ロックピン２５に嵌合させ、その各ロックピン２５の先端を棒材２１に溶着させることより、前記突起部２２を両支軸８ａ，８ｂの軸心Ｏに一致させた状態で一方のアーム７ａの側面に当接させる。【選択図】        図３
0003126685.tif 000002
【実用新案登録請求の範囲】
【請求項１】
ディスク載置用トレイを前後進可能に支持するプレーヤ本体が筐体内に配置され、該筐
体の合成樹脂製フロントパネルにトレイ取出口が形成され、該トレイ取出口に配置される
合成樹脂製トレイドアの裏面両端に一対のアームが一体突設されると共に、該各アームの
先端に支軸が同心状に一体突設され、該各支軸が前記フロントパネルの裏面に一体突設し
た一対の軸受に回動可能に軸支され、一方の軸受と一方のアームとの間で一方の支軸に係
合されることによりトレイドアを閉動方向に付勢するばねが設けられ、該ばねに抗してト
レイドアを開動させて開放したトレイ取出口からトレイを前進させるように形成され、他
方の軸受に接近して位置決め片がフロントパネルの裏面に一体突設されており、前記ばね
で他方の支軸を前記位置決め片に押し付けることにより、前記トレイドアをトレイ取出口
内の中央に配置するようにしたディスク装置において、側面に突起部を突設し複数のロッ
ク孔を所定間隔をおいて貫設した合成樹脂製棒材を有し、該棒材を載置するための載置台
がフロントパネルの裏面に一体形成されると共に、該載置台に前記各ロック孔に対向して
複数のロックピンが一体突設されており、該各ロックピンに各ロック孔を嵌合させて棒材
を載置台上に載置し、その各ロックピンの先端を棒材に溶着させることより、前記突起部
を両支軸の軸心に一致させた状態で一方のアームの側面に当接させるようにしたことを特
徴とするディスク装置。
【請求項２】
ディスク載置用トレイを前後進可能に支持するプレーヤ本体が筐体内に配置され、該筐
体の合成樹脂製フロントパネルにトレイ取出口が形成され、該トレイ取出口に配置される
合成樹脂製トレイドアの裏面両端に一対のアームが一体突設されると共に、該各アームの
先端に支軸が同心状に一体突設され、該各支軸が前記フロントパネルの裏面に一体突設し
た一対の軸受に回動可能に軸支され、一方の軸受と一方のアームとの間で一方の支軸に係
合されることによりトレイドアを閉動方向に付勢するばねが設けられ、該ばねに抗してト
レイドアを開動させて開放したトレイ取出口からトレイを前進させるように形成され、他
方の軸受に接近して位置決め片がフロントパネルの裏面に一体突設されており、前記ばね
で他方の支軸を前記位置決め片に押し付けることにより、前記トレイドアをトレイ取出口
内の中央に配置するようにしたディスク装置において、前記ばねに抗して一方のアームを
両支軸の軸心方向に沿って移動しないように支持する支持部材がフロントパネルの裏面に
設けられていることを特徴とするディスク装置。
【請求項３】
前記支持部材が、側面に突起部を突設した合成樹脂製棒材からなり、該突起部を両支軸
の軸心に一致させた状態で一方のアームの側面に当接させるようにしたことを特徴とする
請求項２に記載のディスク装置。
【請求項４】
前記棒材に複数のロック孔が所定間隔をおいて貫設され、該棒材を載置するための載置
台がフロントパネルの裏面に一体形成されると共に、該載置台に前記各ロック孔に対向し
て複数のロックピンが一体突設されており、該各ロックピンに各ロック孔を嵌合させて棒
材を載置台上に載置し、その各ロックピンの先端を棒材に溶着させたことを特徴とする請
求項３に記載のディスク装置。
【考案の詳細な説明】
【技術分野】
【０００１】
本考案は、例えばＤＶＤレコーダやＤＶＤプレーヤなどの単体、またはそれとビデオ装
置、テレビジョン受像機、ＨＤＤなどとを組み合わたディスク装置に関し、特に、トレイ
ドアをトレイ取出口内の中央に所望通りに配置するようにしたものである。
【背景技術】
【０００２】
従来、ディスク装置の一例として図６〜図１０に示すものがある。これは、ビデオ装置
１を一体化したＤＶＤレコーダ２であって、ディスクＤ載置用トレイ３ａを前後進ａ，ｂ
可能に支持するプレーヤ本体３が筐体４内に配置され、該筐体４が合成樹脂製フロントパ
ネル４ａ、ボトムシャーシ４ｂ及びトップシャーシ４ｃからなり、前記フロントパネル４
ａにトレイ取出口５が形成され、該トレイ取出口５に配置される合成樹脂製トレイドア６
の裏面両端に一対の略コ字状アーム７ａ，７ｂが一体突設されると共に、該各アーム７ａ
，７ｂの先端に支軸８ａ，８ｂが同一軸心Ｏ上で同心状に一体突設され、該各支軸８ａ，
８ｂがフロントパネル４ａの裏面に一体突設した一対の軸受９ａ，９ｂの軸孔１０に挿通
されて回動可能に軸支され、一方の軸受９ａと一方のアーム７ａとの間で一方の支軸８ａ
に係合されたばね１１が設けられ、該ばね１１の一端部を一方のアーム７ａの外側面に一
体突設した係合片１２に係合させると共に、そのばね１１の他端部をフロントパネル４ａ
に係合させることによりトレイドア６が閉動ｃ方向に付勢され、他方の軸受９ｂに接近し
て位置決め片１３がフロントパネル４ａの裏面に一体突設されている。なお、図６中、１
４はトレイ３ａを前後進ａ，ｂさせるためのエジェクト釦、１５はＤＶＤレコーダ２を操
作するための操作部、１６はビデオ装置１のビデオカセット取出口１７に開閉可能に配置
したビデオドア、１８はビデオ装置１を操作するための操作部、１９はディスプレイであ
る。
【０００３】
操作を説明すると、図７に実線で示すプレイモードで、エジェクト釦１４を押すことに
よりトレイ３ａが前進ａされ、その前進ａするトレイ３ａによりトレイドア６がばね１１
に抗して開動ｄされ（図７仮想線参照）、トレイ３ａ上からディスクＤを取り出したり新
たなディスクＤをトレイ３ａ上に載置し、エジェクト釦１４を押すことによりトレイ３ａ
が後進ｂされ、プレイモードに戻される（図７実線参照）。
【０００４】
上記構成において、図１０（ａ）に示すように、ばね１１で一方のアーム７ａを介して
トレイドア６に押付力Ｆを負荷し、その押付力Ｆにより他方のアーム７ｂを介して他方の
支軸８ｂを位置決め片１３に押し付け、トレイドア６の側縁とトレイ取出口５の側縁との
間の隙間α１，α２をほぼ均等に設定して（α１＝α２）、そのトレイドア６をトレイ取
出口５内の中央に配置して外観上の体裁を良好に維持している。なお、本考案に関連する
技術として特許文献１に記載したものがある。
【特許文献１】特開２００５−３２７３５７号公報
【考案の開示】
【考案が解決しようとする課題】
【０００５】
上記従来の構成では、ばね１１による押付力Ｆがトレイドア６に常時負荷されているた
め、図１０（ｂ）に示すように、時間の経過とともに、他方のアーム７ｂが矢印ｅ方向に
撓んでトレイドア６が横方向に移動され、また、図１０（ｃ）に示すように、一方のアー
ム７ａも矢印ｆ方向に撓んで、トレイドア６の側縁とトレイ取出口５の側縁との間の隙間
α１，α２がアンバランスとなり、外観上の体裁が悪くなる。
【０００６】
そこで、各アーム７ａ，７ｂを肉厚にして強度を大きくすることが考えられるが、これ
では、材料費が高くつくと共に、合成樹脂特有の体積収縮（ひけ）で、トレイドア６の表
面の各アーム７ａ，７ｂに対向する部分がわずかに窪んで波打ち状態となり、そのトレイ
ドア６の表面全体を平滑することが困難になるおそれがある。
【０００７】
また、図６に示すように、トレイ３ａの横幅ｈ１に対してトレイ取出口５の横幅ｈ２を
できるだけ小さくして、外観上の体裁を良好に維持しているが、これでは、トレイ取出口
５の側縁とトレイ３ａの側縁との間の間隔ｈ３が小さくなり、その間隔ｈ３に対応する各
アーム７ａ，７ｂを肉厚にすると、該各アーム７ａ，７ｂがトレイ３ａの側縁やトレイ取
出口５の側縁に接触するおそれがあり、その各アーム７ａ，７ｂをあまり肉厚にすること
はできない。
【０００８】
本考案は、上記従来の欠点に鑑み、簡単な構造でトレイドアをトレイ取出口内の中央に
所望通りに配置することができるようにしたディスク装置を提供することを目的としてい
る。
【課題を解決するための手段】
【０００９】
上記目的を達成するため、請求項１に記載の考案は、ディスク載置用トレイを前後進可
能に支持するプレーヤ本体が筐体内に配置され、該筐体の合成樹脂製フロントパネルにト
レイ取出口が形成され、該トレイ取出口に配置される合成樹脂製トレイドアの裏面両端に
一対のアームが一体突設されると共に、該各アームの先端に支軸が同心状に一体突設され
、該各支軸が前記フロントパネルの裏面に一体突設した一対の軸受に回動可能に軸支され
、一方の軸受と一方のアームとの間で一方の支軸に係合されることによりトレイドアを閉
動方向に付勢するばねが設けられ、該ばねに抗してトレイドアを開動させて開放したトレ
イ取出口からトレイを前進させるように形成され、他方の軸受に接近して位置決め片がフ
ロントパネルの裏面に一体突設されており、前記ばねで他方の支軸を前記位置決め片に押
し付けることにより、前記トレイドアをトレイ取出口内の中央に配置するようにしたディ
スク装置において、側面に突起部を突設し複数のロック孔を所定間隔をおいて貫設した合
成樹脂製棒材を有し、該棒材を載置するための載置台がフロントパネルの裏面に一体形成
されると共に、該載置台に前記各ロック孔に対向して複数のロックピンが一体突設されて
おり、該各ロックピンに各ロック孔を嵌合させて棒材を載置台上に載置し、その各ロック
ピンの先端を棒材に溶着させることより、前記突起部を両支軸の軸心に一致させた状態で
一方のアームの側面に当接させるようにしたことを特徴としている。
【００１０】
請求項２に記載の考案によれば、ディスク載置用トレイを前後進可能に支持するプレー
ヤ本体が筐体内に配置され、該筐体の合成樹脂製フロントパネルにトレイ取出口が形成さ
れ、該トレイ取出口に配置される合成樹脂製トレイドアの裏面両端に一対のアームが一体
突設されると共に、該各アームの先端に支軸が同心状に一体突設され、該各支軸が前記フ
ロントパネルの裏面に一体突設した一対の軸受に回動可能に軸支され、一方の軸受と一方
のアームとの間で一方の支軸に係合されることによりトレイドアを閉動方向に付勢するば
ねが設けられ、該ばねに抗してトレイドアを開動させて開放したトレイ取出口からトレイ
を前進させるように形成され、他方の軸受に接近して位置決め片がフロントパネルの裏面
に一体突設されており、前記ばねで他方の支軸を前記位置決め片に押し付けることにより
、前記トレイドアをトレイ取出口内の中央に配置するようにしたディスク装置において、
前記ばねに抗して一方のアームを両支軸の軸心方向に沿って移動しないように支持する支
持部材がフロントパネルの裏面に設けられていることを特徴としている。
【００１１】
請求項３に記載の考案は、請求項２に記載の考案において、前記支持部材が、側面に突
起部を突設した合成樹脂製棒材からなり、該突起部を両支軸の軸心に一致させた状態で一
方のアームの側面に当接させるようにしたことを特徴としている。
【００１２】
請求項４に記載の考案は、請求項３に記載の考案において、前記棒材に複数のロック孔
が所定間隔をおいて貫設され、該棒材を載置するための載置台がフロントパネルの裏面に
一体形成されると共に、該載置台に前記各ロック孔に対向して複数のロックピンが一体突
設されており、該各ロックピンに各ロック孔を嵌合させて棒材を載置台上に載置し、その
各ロックピンの先端を棒材に溶着させたことを特徴としている。
【考案の効果】
【００１３】
請求項１に記載の考案によれば、トレイドアに一体突設した一方のアームをばねに抗し
て棒材で支持しており、両アームがばねにより撓ませられるおそれがないので、従来のよ
うに両アームが撓んでトレイドアが横方向に移動されることがなく、該トレイドアの側縁
とトレイ取出口の側縁との間の隙間をほぼ均等に保持して、そのトレイドアをトレイ取出
口内の中央に所望通りに配置し、外観上の体裁を良好に維持することができる。
【００１４】
また、両アームを肉厚にする必要がないので、例えば肉厚にした各アームに対向するト
レイドアの表面が合成樹脂特有の体積収縮（ひけ）でわずかに窪んで波打つという現象を
解消し、そのトレイドアの表面全体を平滑にして商品価値を高めることができる。
【００１５】
更に、前記棒材の突起部を両支軸の軸心に一致させた状態で一方のアームの側面に当接
させており、その両支軸の軸心回りでトレイドアを開閉動させる際に、突起部と一方のア
ームとの接点が両支軸の軸心に一致して位置ずれしないから、トレイドアの開閉動を円滑
に行わせることができる。
【００１６】
しかも、フロントパネルの各ロックピンに棒材の各ロック孔を嵌合させて該棒材を載置
台上に載置した後、各ロックピンの先端を棒材に溶着させるだけで、その棒材の突起部を
一方のアームの側面に所望通りに当接させることができる。
【００１７】
請求項２に記載の考案は基本形態に対応するものであって、これによれば、トレイドア
に一体突設した一方のアームをばねに抗して支持部材で支持しており、両アームがばねに
より撓ませられるおそれがないので、従来のように両アームが撓んでトレイドアが横方向
に移動されることがなく、該トレイドアの側縁とトレイ取出口の側縁との間の隙間をほぼ
均等に保持して、そのトレイドアをトレイ取出口内の中央に所望通りに配置し、外観上の
体裁を良好に維持することができる。
【００１８】
また、両アームを肉厚にする必要がないので、例えば肉厚にした各アームに対向するト
レイドアの表面が合成樹脂特有の体積収縮（ひけ）でわずかに窪んで波打つという現象を
解消し、そのトレイドアの表面全体を平滑にして商品価値を高めることができる。
【００１９】
請求項３に記載の考案によれば、棒材の突起部を両支軸の軸心に一致させた状態で一方
のアームの側面に当接させており、その両支軸の軸心回りでトレイドアを開閉動させる際
に、突起部と一方のアームとの接点が両支軸の軸心に一致して位置ずれしないから、トレ
イドアの開閉動を円滑に行わせることができる。
【００２０】
請求項４に記載の考案によれば、フロントパネルの各ロックピンに棒材の各ロック孔を
嵌合させて該棒材を載置台上に載置した後、各ロックピンの先端を棒材に溶着させるだけ
で、その棒材の突起部を一方のアームの側面に所望通りに当接させることができる。
【考案を実施するための最良の形態】
【００２１】
図１〜図５は本考案の実施の一形態であるディスク装置を示すものであって、ばね１１
に抗して一方のアーム７ａを両支軸８ａ，８ｂの軸心Ｏ方向に沿って移動しないように支
持する合成樹脂製棒材（支持部材）２１がフロントパネル４ａの裏面に設けられている。
上記以外の構成は図６〜図１０に示す構成とほぼ同じであるから、同一部分に同一符号を
付してその説明を省略する。
【００２２】
前記棒材２１は、角柱状であって、その一端部の側面に半球体状突起部２２が突設され
ると共に、その他端部にその前後両面を貫通するように複数（この実施の形態では２つ）
のロック孔２３が所定間隔をおいて形成されている。
【００２３】
図２〜図４に示すように、棒材２１を載置するための載置台２４がフロントパネル４ａ
の裏面に一体形成されると共に、該載置台２４に前記各ロック孔２３に対向して複数のロ
ックピン２５が一体突設されている。
【００２４】
組立手順を説明すると、一方の支軸８ａにばね１１を係合させた状態で、各支軸８ａ，
８ｂを各軸受９ａ，９ｂの軸孔１０に挿入することにより、トレイドア６をトレイ取出口
５内に配置した後、棒材２１を把持して、各ロック孔２３を各ロックピン２５に嵌合させ
て棒材２１を載置台２４上に載置し、高温状態の工具（図示せず）を各ロックピン２５の
先端に当て付けて溶解させることにより、該各ロックピン２５の先端を棒材２１に溶着さ
せ、これによって、棒材２１の突起部２２を両支軸８ａ，８ｂの軸心Ｏに一致させた状態
で一方のアーム７ａの側面に当接させる（図３及び図５参照）。
【００２５】
上記構成によれば、トレイドア６に一体突設した一方のアーム７ａをばね１１に抗して
棒材２１で支持しており、両アーム７ａ，７ｂがばね１１により撓ませられるおそれがな
いので、従来のように両アーム７ａ，７ｂが撓んでトレイドア６が横方向に移動されるこ
とがなく〔図１０（ｂ）（ｃ）参照〕、該トレイドア６の側縁とトレイ取出口５の側縁と
の間の隙間α１，α２をほぼ均等に保持して、そのトレイドア６をトレイ取出口５内の中
央に所望通りに配置し、外観上の体裁を良好に維持することができる。
【００２６】
また、両アーム７ａ，７ｂを肉厚にする必要がないので、例えば肉厚にした各アーム７
ａ，７ｂに対向するトレイドア６の表面が合成樹脂特有の体積収縮（ひけ）でわずかに窪
んで波打つという現象を解消し、そのトレイドア６の表面全体を平滑にして商品価値を高
めることができる。
【００２７】
更に、前記棒材２１の突起部２２を両支軸８ａ，８ｂの軸心Ｏに一致させた状態で一方
のアーム７ａの側面に当接させており、その両支軸８ａ，８ｂの軸心Ｏ回りでトレイドア
６を開閉動ｃ，ｄさせる際に、突起部２２と一方のアーム７ａとの接点が両支軸８ａ，８
ｂの軸心Ｏに一致して位置ずれしないから、トレイドア６の開閉動ｃ，ｄを円滑に行わせ
ることができる。
【００２８】
しかも、フロントパネル４ａの各ロックピン２５に棒材２１の各ロック孔２３を嵌合さ
せて該棒材２１を載置台２４上に載置した後、各ロックピン２５の先端を棒材２１に溶着
させるだけで、その棒材２１の突起部２２を一方のアーム７ａの側面に所望通りに当接さ
せることができる。
【産業上の利用可能性】
【００２９】
上記の実施の形態では、ビデオ装置１を一体化したＤＶＤレコーダ２を例にあげて説明
したが、これに限定されるわけではなく、例えばＤＶＤレコーダやＤＶＤプレーヤなどの
単体、またはそれとテレビジョン受像機、ＨＤＤなどとを組み合わたディスク装置にも適
用される。
【図面の簡単な説明】
【００３０】
【図１】本考案の実施の一形態であるディスク装置の正面図である。
【図２】同要部の拡大縦断面図である。
【図３】同要部の拡大裏面図である。
【図４】同要部の分解斜視図である。
【図５】同要部の水平断面図である。
【図６】従来例を示す正面図である。
【図７】同要部の拡大縦断面図である。
【図８】同要部の拡大裏面図である。
【図９】同要部の分解斜視図である。
【図１０】（ａ）は同要部の水平断面図、（ｂ）及び（ｃ）は両アームの撓み状態を示す要部の水平断面図である。
【符号の説明】
【００３１】
３          プレーヤ本体
３ｂ        トレイ
４          筐体
４ａ        筐体のフロントパネル
５          トレイ取出口
６          トレイドア
７ａ，７ｂ  アーム
８ａ，８ｂ  支軸
９ａ，９ｂ  軸受
１１        ばね
１３        位置決め片
２１        棒材（支持部材）
２２        突起部
２３        ロック孔
２４        載置台
２５        ロックピン
Ｄ          ディスク
Ｏ          支軸の軸心
【図１】
0003126685.tif 000003
【図２】
0003126685.tif 000004
【図３】
0003126685.tif 000005
【図４】
0003126685.tif 000006
【図５】
0003126685.tif 000007
【図６】
0003126685.tif 000008
【図７】
0003126685.tif 000009
【図８】
0003126685.tif 000010
【図９】
0003126685.tif 000011
【図１０】
0003126685.tif 000012